(57)【特許請求の範囲】
【請求項１】
伝送モードの異なる複数の入力信号から所望の入力信号を選局する選局方法において、
フィルタ手段を介して第１の入力信号がスイッチ手段へ入力されると共に、前記フィルタ手段を介し、第１の入力信号の周波数へダウンコンバートされた前記第１の入力信号と伝送モードの異なる第２の入力信号が前記スイッチ手段へ入力されるステップと、
制御手段により選局される前記第１の入力信号又は第２の入力信号の何れかを選択して出力するように前記スイッチ手段が制御されるステップと、
前記スイッチ手段から出力された前記第１の入力信号又は第２の入力信号をデータ処理手段が受信し、その受信された入力信号の伝送モードを検出するステップと、
前記検出された伝送モードが前記制御手段に通知されるステップと、
前記検出された伝送モードと前記制御手段により選局される前記第１の入力信号又は第２の入力信号の伝送モードとを前記制御手段が比較するステップと、
前記比較の結果に基づいて前記制御手段が選局を行なうステップとを有し、
前記制御手段は、前記比較の結果、前記検出された伝送モードと前記制御手段により選局される前記第１の入力信号又は第２の入力信号の伝送モードとが一致するときは正しく選局していると判定して、その選局情報を記憶し、前記検出された伝送モードと前記制御手段により選局される前記第１の入力信号又は第２の入力信号の伝送モードとが一致しないときは正しく選局していないと判定して、その選局情報を記憶しないことを特徴とする選局方法。
【請求項２】
伝送モードの異なる複数の入力信号から所望の入力信号を選局する選局装置において、
フィルタ手段を介して第１の入力信号が入力されると共に、前記第１の入力信号の周波数へダウンコンバートされた前記第１の入力信号と伝送モードの異なる第２の入力信号が入力され、制御手段により選局される前記第１の入力信号又は第２の入力信号の何れかを選択して出力するスイッチ手段と、
前記スイッチ手段から出力された前記第１の入力信号又は第２の入力信号を受信し、その受信された入力信号の伝送モードを検出するデータ処理手段と、
前記検出された伝送モードが前記制御手段に通知され、前記検出された伝送モードと前記制御手段により選局される前記第１の入力信号又は第２の入力信号の伝送モードとを比較し、前記比較の結果に基づいて前記制御手段が選局を行なう制御手段とを有し、
前記制御手段は、前記比較の結果、前記検出された伝送モードと前記制御手段により選局される前記第１の入力信号又は第２の入力信号の伝送モードとが一致するときは正しく選局していると判定して、その選局情報を記憶し、前記検出された伝送モードと前記制御手段により選局される前記第１の入力信号又は第２の入力信号の伝送モードとが一致しないときは正しく選局していないと判定して、その選局情報を記憶しないことを特徴とする選局装置。
【発明の詳細な説明】
【０００１】
【発明の属する技術分野】
本発明は、選局方法及び選局装置に係り、特に伝送モードの異なる複数の入力信号から所望の入力信号を選択し、その選択した入力信号を選局する選局方法及び選局装置に関する。
【０００２】
【従来の技術】
近年、ＣＤ（コンパクトディスク）等の普及により、ディジタルオーディオの優れた特性と使いやすさが一般に浸透してきている。このような背景から、オーディオ放送のディジタル化の動きが活発になっている。ディジタル化されたラジオ放送であるＤＡＢ（Ｄｉｇｉｔａｌ  Ａｕｄｉｏ  Ｂｒｏａｄｃａｓｔｉｎｇ）は衛星波又は地上波に用いられ、付加価値の高いサービスを聴取者に提供することができる。
【０００３】
ＤＡＢは、その特徴により４つの伝送モードが定義されている。例えば、モードＩは使用周波数が３７５ＭＨｚ以下であり、特に単一周波数ネットワークに適している。モードIIは使用周波数が１．５ＧＨｚ以下であり、特に地上波放送に適している。また、モードIII は使用周波数が３．０ＧＨｚ以下であり、特に衛星放送に適している。
【０００４】
ここで、モードＩの使用周波数のうちバンドIII と呼ばれる１７４〜２４０ＭＨｚの信号と、モードIIの使用周波数のうちＬバンドと呼ばれる１４５２〜１４９２ＭＨｚの信号とを選局する選局装置について図面を利用して説明する。
図４は、選局装置を含む受信回路の一例のブロック図を示す。受信回路１００にバンドIII の信号とＬバンドの信号とが供給されると、そのバンドIII 及びＬバンドの信号はフィルター部１０１に供給される。フィルター部１０１は、例えばローパスフィルタ（ＬＰＦ：Ｌｏｗ  Ｐａｓｓ  Ｆｉｌｔｅｒ）及びハイパスフィルタ（ＨＰＦ：Ｈｉｇｈ  Ｐａｓｓ  Ｆｉｌｔｅｒ）で構成され、そのローパスフィルタ及びハイパスフィルタにそれぞれバンドIII 及びＬバンドの信号が供給される。
【０００５】
ローパスフィルタは、供給されたバンドIII 及びＬバンドの信号のうちバンドIII の信号のみをスイッチ（ＳＷ：Ｓｗｉｔｃｈ）１０３に供給する。また、ハイパスフィルタは、供給されたバンドIII 及びＬバンドの信号のうちＬバンドの信号のみをＬバンド信号増幅器１０２に供給する。
Ｌバンド信号増幅器１０２は供給されたＬバンドの信号を増幅し、その信号をミクサ１０４に供給する。ミクサ１０４は、局部発振器１０５から供給される信号に基づいて、Ｌバンド信号増幅器１０２から供給されるＬバンドの信号をバンドIII の周波数帯域にダウンコンバートし、そのダウンコンバートした信号をスイッチ１０３に供給する。
【０００６】
スイッチ１０３はフィルター部１０１から供給されるバンドIII の信号と、ミクサ１０４から供給されるＬバンドの信号をダウンコンバートした信号とのうち、どちらか一の信号を選択して増幅器１０６に出力する。このスイッチ１０３は、後述するマイコン１０９により選局する信号が出力されるように制御される。なお、スイッチ１０３はＧａＡｓの電界効果トランジスタ（ＦＥＴ：Ｆｉｅｌｄ
Ｅｆｆｅｃｔ  Ｔｒａｎｓｉｔｏｒ）等により構成される。
【０００７】
増幅器１０６は供給された信号を増幅し、その信号をミクサ１０７に供給する。ミクサ１０７は局部発振器１０８から供給される信号に基づいて、増幅器１０６から供給される信号を第一中間周波数にダウンコンバートし、そのダウンコンバートした信号をＳＡＷ（Ｓｕｒｆａｃｅ  Ａｃｏｕｓｔｉｃ  Ｗａｖｅ）フィルタ１１１に供給する。なお、局部発振器１０８は後述するマイコン１０９によりミクサ１０７に供給する信号の周波数を制御される。
【０００８】
ＳＡＷフィルタ１１１は搬送波の直交性を確保するために利用される。ＳＡＷフィルタ１１１は、供給された信号をミクサ１１２に供給する。ミクサ１１２は、局部発振器１１４から供給される信号に基づいて、ＳＡＷフィルタ１１１から供給される信号を第二中間周波数にダウンコンバートし、そのダウンコンバートした信号をフィルター１１３を介してデータ処理部１１５に供給する。
【０００９】
データ処理部１１５はフィルタ１１３から供給された信号を受信した場合、信号ありを示す信号をマイコン１０９に供給する。マイコン１０９は、信号ありを示す信号を供給されると、そのときの入力周波数をメモリ１１０に記憶する。以降、局部発振器１０８から供給する信号の周波数を順次変更しつつ、以上のような処理を繰り返すことにより選局を行なっていた。
【００１０】
【発明が解決しようとする課題】
しかしながら、従来の選局装置では、スイッチ１０３でミクサ１０４から供給されるＬバンドの信号をダウンコンバートした信号を選択して選局をする場合、スイッチ１０３のアイソレーションが不十分であるとバンドIII の信号の影響により正しく選局できないという問題があった。
【００１１】
この理由は、スイッチ１０３のアイソレーションが不十分である場合、スイッチ１０３から出力されるＬバンドの信号をダウンコンバートした信号にバンドIII の信号が含まれ、バンドIII の信号をＬバンドの信号として誤認識する場合があるからである。
一方、アイソレーションを十分取るためには複雑な回路構成が必要であり、コストが増大するという問題があった。
【００１２】
本発明は、上記の点に鑑みなされたもので、十分なアイソレーションを確保しなくとも、伝送モードの異なる入力信号の選局を正確に行なうことが可能な選局方法及び選局装置を提供することを目的とする。
【００１３】
【課題を解決するための手段】
そこで、上記課題を解決するため、請求項１記載の発明は、伝送モードの異なる複数の入力信号から所望の入力信号を選局する選局方法において、フィルタ手段を介して第１の入力信号がスイッチ手段へ入力されると共に、前記フィルタ手段を介し、第１の入力信号の周波数へダウンコンバートされた前記第１の入力信号と伝送モードの異なる第２の入力信号が前記スイッチ手段へ入力されるステップと、制御手段により選局される前記第１の入力信号又は第２の入力信号の何れかを選択して出力するように前記スイッチ手段が制御されるステップと、前記スイッチ手段から出力された前記第１の入力信号又は第２の入力信号をデータ処理手段が受信し、その受信された入力信号の伝送モードを検出するステップと、前記検出された伝送モードが前記制御手段に通知されるステップと、前記検出された伝送モードと前記制御手段により選局される前記第１の入力信号又は第２の入力信号の伝送モードとを前記制御手段が比較するステップと、前記比較の結果に基づいて前記制御手段が選局を行なうステップとを有し、前記制御手段は、前記比較の結果、前記検出された伝送モードと前記制御手段により選局される前記第１の入力信号又は第２の入力信号の伝送モードとが一致するときは正しく選局していると判定して、その選局情報を記憶し、前記検出された伝送モードと前記制御手段により選局される前記第１の入力信号又は第２の入力信号の伝送モードとが一致しないときは正しく選局していないと判定して、その選局情報を記憶しないことを特徴とする。
【００１４】
このように、選局を行なう入力信号の伝送モードを伝送モード検出手順（Ｓ２０）により検出し、検出された伝送モードと受信すべき信号の伝送モードとを比較した比較結果に基づいて選局を行なうことにより、アイソレーションを十分確保しなくとも選局を正確に行なうことが可能となる。したがって、アイソレーションを十分とるために必要であった複雑な回路構成が不要となりコストの削減が可能となる。
【００１６】
このように、比較手順（Ｓ３０）の比較結果が前記伝送モード検出手順で検出された伝送モードと受信すべき信号の伝送モードとの一致を示すときは正しい信号を選局していると判定して、その信号を選択するための選局情報を記憶し、比較手段（Ｓ３０）の比較結果が前記伝送モードの一致を示さないときは誤信号を選局していると判定して、その信号を選択するための選局情報は記憶しないことにより、選局を正確に行なうことが可能となる。
【００１７】
また、請求項２記載の本発明は、伝送モードの異なる複数の入力信号から所望の入力信号を選局する選局装置において、フィルタ手段を介して第１の入力信号が入力されると共に、前記第１の入力信号の周波数へダウンコンバートされた前記第１の入力信号と伝送モードの異なる第２の入力信号が入力され、制御手段により選局される前記第１の入力信号又は第２の入力信号の何れかを選択して出力するスイッチ手段と、前記スイッチ手段から出力された前記第１の入力信号又は第２の入力信号を受信し、その受信された入力信号の伝送モードを検出するデータ処理手段と、前記検出された伝送モードが前記制御手段に通知され、前記検出された伝送モードと前記制御手段により選局される前記第１の入力信号又は第２の入力信号の伝送モードとを比較し、前記比較の結果に基づいて前記制御手段が選局を行なう制御手段とを有し、前記制御手段は、前記比較の結果、前記検出された伝送モードと前記制御手段により選局される前記第１の入力信号又は第２の入力信号の伝送モードとが一致するときは正しく選局していると判定して、その選局情報を記憶し、前記検出された伝送モードと前記制御手段により選局される前記第１の入力信号又は第２の入力信号の伝送モードとが一致しないときは正しく選局していないと判定して、その選局情報を記憶しないことを特徴とする。
【００１８】
このように、選局を行なう所望の入力信号の伝送モードを伝送モード検出手段１１５により検出し、検出された伝送モードと受信すべき信号の伝送モードとを比較した比較結果に基づいて選局を行なう選局手段１１０，１２０を有することにより、アイソレーションを十分確保しなくとも選局を正確に行なうことが可能となる。したがって、アイソレーションを十分とるために必要であった複雑な回路構成が不要となりコストの削減が可能となる。
【００２０】
このように、比較手段１２０の比較結果に基づいて、前記伝送モード検出手段１１５で検出された伝送モードと受信すべき信号の伝送モードとが一致するときは正しい信号を選局していると判定して、その信号を選択するための選局情報を記憶手段１１０に記憶し、前記伝送モードが一致しないときは誤信号を選局していると判定して、その信号を選択するための選局情報は記憶手段１１０に記憶しないことにより、所望の入力信号以外の入力信号が含まれているとしても選局を正確に行なうことが可能となる。したがって、アイソレーションを十分とるために必要であった複雑な回路構成が不要となりコストの削減が可能となる。
【００２１】
【発明の実施の形態】
以下に、本発明の実施例を図面に基づいて説明する。図１は、本発明の選局装置を含む受信回路の一実施例のブロック図を示す。
受信回路１００は、フィルター部１０１、Ｌバンド信号増幅器１０２、スイッチ（ＳＷ：Ｓｗｉｔｃｈ）１０３、ミクサ１０４，１０７，１１２、局部発振器１０５，１０８，１１４、増幅器１０６、メモリ１１０、ＳＡＷ（Ｓｕｒｆａｃｅ  Ａｃｏｕｓｔｉｃ  Ｗａｖｅ）フィルタ１１１、フィルター１１３、データ処理部１１５、マイコン１２０を含む構成である。
【００２２】
ここで、本発明の選局装置の動作の説明のために、モードＩの使用周波数のうちバンドIII と呼ばれる１７４〜２４０ＭＨｚの信号と、モードIIの使用周波数のうちＬバンドと呼ばれる１４５２〜１４９２ＭＨｚの信号とを選局する場合について図面を利用して説明する。
受信回路１００にバンドIII の信号とＬバンドの信号とが供給されると、そのバンドIII 及びＬバンドの信号はフィルター部１０１に供給される。フィルター部１０１は、例えばローパスフィルタ（ＬＰＦ：Ｌｏｗ  Ｐａｓｓ  Ｆｉｌｔｅｒ）及びハイパスフィルタ（ＨＰＦ：Ｈｉｇｈ  Ｐａｓｓ  Ｆｉｌｔｅｒ）で構成され、そのローパスフィルタ及びハイパスフィルタにそれぞれバンドIII 及びＬバンドの信号が供給される。
【００２３】
ローパスフィルタは、供給されたバンドIII 及びＬバンドの信号のうちバンドIII の信号のみをスイッチ（ＳＷ：Ｓｗｉｔｃｈ）１０３に供給する。また、ハイパスフィルタは、供給されたバンドIII 及びＬバンドの信号のうちＬバンドの信号のみをＬバンド信号増幅器１０２に供給する。
Ｌバンド信号増幅器１０２は供給されたＬバンドの信号を増幅し、その信号をミクサ１０４に供給する。ミクサ１０４は、局部発振器１０５から供給される信号に基づいて、Ｌバンド信号増幅器１０２から供給されるＬバンドの信号をバンドIII の周波数帯域にダウンコンバートし、そのダウンコンバートした信号をスイッチ１０３に供給する。
【００２４】
スイッチ１０３はフィルター部１０１から供給されるバンドIII の信号と、ミクサ１０４から供給されるＬバンドの信号をダウンコンバートした信号とのうち、どちらか一の信号を選択して増幅器１０６に出力する。このスイッチ１０３は、後述するマイコン１２０により選局する信号が出力されるように制御される。なお、スイッチ１０３はＧａＡｓの電界効果トランジスタ（ＦＥＴ：Ｆｉｅｌｄ
Ｅｆｆｅｃｔ  Ｔｒａｎｓｉｔｏｒ）等により構成される。
【００２５】
例えば、バンドIII の信号を選局する場合、スイッチ１０３はバンドIII の信号を増幅器１０６に出力し、Ｌバンドの信号を選局する場合、スイッチ１０３はＬバンドの信号をダウンコンバートした信号を増幅器１０６に出力する。なお、本発明においては、スイッチ１０３のアイソレーションが十分取れなくても良く、例えば８０ｄＢ程度で良い。
【００２６】
増幅器１０６は供給された信号を増幅し、その信号をミクサ１０７に供給する。ミクサ１０７は局部発振器１０８から供給される信号に基づいて、増幅器１０６から供給される信号を第一中間周波数にダウンコンバートし、そのダウンコンバートした信号をＳＡＷ（Ｓｕｒｆａｃｅ  Ａｃｏｕｓｔｉｃ  Ｗａｖｅ）フィルタ１１１に供給する。なお、局部発振器１０８は後述するマイコン１２０によりミクサ１０７に供給する信号の周波数を制御される。
【００２７】
ＳＡＷフィルタ１１１は搬送波の直交性を確保するために利用される。ＳＡＷフィルタ１１１は、供給された信号をミクサ１１２に供給する。ミクサ１１２は、局部発振器１１４から供給される信号に基づいて、ＳＡＷフィルタ１１１から供給される信号を第二中間周波数にダウンコンバートし、そのダウンコンバートした信号をフィルター１１３を介してデータ処理部１１５に供給する。
【００２８】
データ処理部１１５はフィルタ１１３から供給された信号を受信した場合、その信号の伝送モードを判別し、その伝送モードを表すモード検出信号をマイコン１２０に供給する。マイコン１２０は伝送モードを表すモード検出信号が供給されると、現在の選局を行なっている信号とモード検出信号とに基づいて、その入力周波数をメモリ１１０に記憶するか否かを判断する。
【００２９】
このマイコン１２０の処理は、バンドIII の信号がモードＩ，Ｌバンドの信号がモードII又はIVというように異なる伝送モードで伝送されていることを利用している。マイコン１２０は、選局を行なっている信号の伝送に利用される伝送モードとデータ処理部１１５から供給されるモード検出信号が表す伝送モードとを比較し、伝送モードが一致しないときは、その信号が選局を行なっている信号ではないと判断してメモリ１１０に記憶しない。
【００３０】
例えば、Ｌバンドの信号を選局する場合、スイッチ１０３のアイソレーションが十分でないとバンドIII の信号が完全に除去されずにＬバンドの信号と共に選局される。しかしながら、バンドIII の信号とＬバンドの信号とはその伝送モードが異なり、モードＩを表すモード検出信号がデータ処理部１１５から供給された場合、マイコン１２０はその信号が選局を行なっているＬバンドの信号ではないと判断してメモリ１１０に記憶しない。
【００３１】
一方、モードII又はIVを表すモード検出信号がデータ処理部１１５から供給された場合、マイコン１２０はその信号が選局を行なっているＬバンドの信号であると判断してメモリ１１０に記憶する。
以上のマイコン１２０の処理をフローチャートで表すと、図２のようになる。図２は、本発明の選局装置の処理を示す一実施例のフローチャートを示す。
【００３２】
ステップＳ１０では、マイコン１２０は局部発振器１０８を制御して選局を行なうために必要な信号を出力させる。この信号は、ミクサ１０７に供給され、増幅器１０６から供給される信号を第一中間周波数にダウンコンバートし、そのダウンコンバートした信号をＳＡＷフィルタ１１１，ミクサ１１２，及びフィルター１１３を介してデータ処理部１１５に供給する。
【００３３】
ステップＳ２０では、データ処理部１１５は供給された信号の伝送モードを検出し、その検出結果に基づくモード検出信号をマイコン１２０に供給する。ステップＳ２０に続いてステップＳ３０に進み、マイコン１２０は供給されたモード検出信号から現在選局されている信号の伝送モードがモードII又はIVであるか否かを判定する。
【００３４】
現在選局されている信号の伝送モードがモードII又はIVである、すなわち、Ｌバンドの信号であると判定すると（Ｓ３０においてＹＥＳ）、その選局されている信号の周波数をメモリ１１０に記憶する。一方、現在選局されている信号の伝送モードがモードＩである、すなわち、バンドIII の信号であると判定すると（Ｓ３０においてＮＯ）、その選局されている信号はＬバンドの選局に必要のない信号であるのでメモリ１１０に記憶しない。
【００３５】
ステップＳ４０又はＳ５０に続いてステップＳ６０に進み、Ｌバンドの信号の選局処理が終了していると判定すると（ステップＳ６０においてＹＥＳ）、処理を終了する。一方、Ｌバンドの信号の選局処理が終了していないと判定すると（ステップＳ６０においてＮＯ）、ステップＳ１０に進み、マイコン１２０は局部発振器１０８を制御して選局を行なうために必要な新たな信号を出力させる。以後、ステップＳ１０乃至Ｓ６０を選局処理が終了するまで繰り返す。
【００３６】
以上のように、本発明の選局装置は、選局処理がなされている信号の伝送モードとモード検出信号が表す伝送モードとを比較して、その伝送モードが一致しない場合に誤信号であると判断するため、スイッチ１０３のアイソレーションが十分でない場合でも選局を正確に行なうことが可能となる。
以上、図１を用いて説明した受信回路１００は、例えば図３に示すようにＤＡＢ受信機の一部を構成する。図３は、ＤＡＢ受信機の一例の構成図を示す。受信回路１００は各伝送モードにより異なる周波数のＲＦ信号を供給され、ＩＦ信号に変換されて更に２ｎｄ  ＩＦ信号に変換される。
【００３７】
変換された２ｎｄ  ＩＦ信号は、Ａ／Ｄ変換器２００に供給され、アナログ信号からデジタル信号に変換される。変換されたデジタル信号は、復調処理部３００に供給され、高速フーリエ変換（ＦＦＴ）及び差動復調処理が行われる。
誤り訂正処理部４００は、デインターリーブ処理及び誤り訂正処理を行い、処理後の信号をオーディオデコーダ５００及びデータデコーダ８００に供給する。オーディオデコーダ５００は、供給されたデータ圧縮されているオーディオデータからオーディオデータを復元して出力する。データデコーダ８００は、オーディオデータに含まれる例えばアーティスト名等の情報データを復元して出力している。さらに、ユーザインターフェース６００は、ユーザが各種操作を行なうものであり、その操作に基づいて制御回路７００が各ブロックを制御している。
【００３８】
なお、本実施例では、モードＩの使用周波数のうちバンドIII と呼ばれる１７４〜２４０ＭＨｚの信号と、モードIIの使用周波数のうちＬバンドと呼ばれる１４５２〜１４９２ＭＨｚの信号とを受信する受信回路について説明したが、これに限るものではなく他の伝送モードにおいても利用が可能である。
【００３９】
【発明の効果】
上述の如く、本発明によれば、選局を行なう入力信号の伝送モードを伝送モード検出手順（Ｓ２０）により検出し、検出された伝送モードと受信すべき信号の伝送モードとを比較した比較結果に基づいて選局を行なうことにより、アイソレーションを十分確保しなくとも選局を正確に行なうことが可能となる。したがって、アイソレーションを十分とるために必要であった複雑な回路構成が不要となりコストの削減が可能となる。
【００４０】
また、本発明によれば、比較手順（Ｓ３０）の比較結果が前記伝送モード検出手順で検出された伝送モードと受信すべき信号の伝送モードとの一致を示すときは正しい信号を選局していると判定して、その信号を選択するための選局情報を記憶し、比較手段（Ｓ３０）の比較結果が前記伝送モードの一致を示さないときは誤信号を選局していると判定して、その信号を選択するための選局情報は記憶しないことにより、選局を正確に行なうことが可能となる。
【００４１】
また、本発明によれば、選局を行なう所望の入力信号の伝送モードを伝送モード検出手段１１５により検出し、検出された伝送モードと受信すべき信号の伝送モードとを比較した比較結果に基づいて選局を行なう選局手段１１０，１２０を有することにより、アイソレーションを十分確保しなくとも選局を正確に行なうことが可能となる。したがって、アイソレーションを十分とるために必要であった複雑な回路構成が不要となりコストの削減が可能となる。
【００４２】
また、本発明によれば、比較手段１２０の比較結果に基づいて、前記伝送モード検出手段１１５で検出された伝送モードと受信すべき信号の伝送モードとが一致するときは正しい信号を選局していると判定して、その信号を選択するための選局情報を記憶手段１１０に記憶し、前記伝送モードが一致しないときは誤信号を選局していると判定して、その信号を選択するための選局情報は記憶手段１１０に記憶しないことにより、所望の入力信号以外の入力信号が含まれているとしても選局を正確に行なうことが可能となる。したがって、アイソレーションを十分とるために必要であった複雑な回路構成が不要となりコストの削減が可能となる。
【図面の簡単な説明】
【図１】本発明の選局装置を含む受信回路の一実施例のブロック図である。
【図２】本発明の選局装置の処理を示す一実施例のフローチャートである。
【図３】ＤＡＢ受信機の一例の構成図である。
【図４】選局装置を含む受信回路の一例のブロック図である。
【符号の説明】
１０１  フィルター部
１０２  Ｌバンド信号増幅器
１０３    スイッチ
１０４，１０７，１１２    ミクサ
１０５，１０８，１１４    局部発振器
１０６    増幅器
１１０    メモリ
１１１    ＳＡＷフィルタ
１１３    フィルター
１１５    データ処理部
１２０    マイコン
２００    Ａ／Ｄ変換器
３００    復調処理部
４００    誤り訂正処理部
５００    オーディオデコーダ
６００    ユーザインターフェース
７００    制御回路
８００    データデコーダ
【図１】
0003829521.tif 000002
【図２】
0003829521.tif 000003
【図３】
0003829521.tif 000004
【図４】
0003829521.tif 000005